(57)【要約】【課題】ドキュメントの出力の不具合を従来よりも容易に見つけることができるようにする。【解決手段】パーソナルコンピュータは、１つまたは複数のページからなるドキュメントの表示を、次のように行う。プレビュー画像領域５１とサムネイル画像領域５２とを印刷プレビューウィンドウ５に設ける。ドキュメントに特定の処理を施した際の状態を表わすプレビュー画像６Ａをプレビュー画像領域５１に表示する。さらに、この特定の処理を施していない各ページを表すサムネイル画像６Ｂを、サムネイル画像領域５２に表示する。【選択図】図５
2012123557.tif 000002
【特許請求の範囲】
【請求項１】
１つまたは複数のページからなるドキュメントの表示に関する制御を行う表示制御装置であって、
前記ドキュメントに特定の処理を施した際の状態を表わすプレビュー画像をディスプレイに表示させる、プレビュー画像表示制御手段と、
前記特定の処理を施していない前記各ページを表すオリジナル画像を、前記プレビュー画像とともに前記ディスプレイに表示させるオリジナル画像表示制御手段と、
を有することを特徴とする表示制御装置。
【請求項２】
前記特定の処理とは、印刷装置によって用紙に印刷するために前記ドキュメントを加工する処理である、
請求項１に記載の表示制御装置。
【請求項３】
前記特定の処理とは、用紙への前記各ページの割付けの処理である、
請求項１に記載の表示制御装置。
【請求項４】
前記ドキュメントに前記特定の処理を実行する特定処理手段、を有し、
前記プレビュー画像表示制御手段は、前記特定処理手段によって前記特定の処理が施された際の状態を表す画像を前記プレビュー画像として表示させる、
請求項１または請求項３に記載の表示制御装置。
【請求項５】
前記オリジナル画像は、前記プレビュー画像よりも小さい、
請求項１ないし請求項４のいずれかに記載の表示制御装置。
【請求項６】
前記プレビュー画像は、前記ドキュメントの印刷物に施された仕上げ処理の状態をも表す、
請求項１ないし請求項５のいずれかに記載の表示制御装置。
【請求項７】
前記プレビュー画像表示制御手段は、選択された前記オリジナル画像が表す前記ページに係る前記プレビュー画像を表示させる、
請求項１ないし請求項６のいずれかに記載の表示制御装置。
【請求項８】
前記オリジナル画像表示制御手段は、選択された前記プレビュー画像が表す前記ページの前記オリジナル画像を表示させる、
請求項１ないし請求項７のいずれかに記載の表示制御装置。
【請求項９】
１つまたは複数のページからなるドキュメントを印刷する印刷装置と、ホストと、を有する印刷システムであって、
前記ホストには、
前記ドキュメントに特定の処理を施す特定処理手段と、
前記ドキュメントに前記特定の処理を施した際の状態を表わすプレビュー画像と前記特定の処理を施していない前記各ページを表すオリジナル画像とを配置した画面を表示する表示手段と、
が設けられ、
前記印刷装置には、
前記ホストからの指令に基づいて前記特定の処理が施された前記ドキュメントを印刷する印刷手段、
が設けられている、
ことを特徴とする印刷システム。
【請求項１０】
前記画面は、前記印刷装置のドライバ用の画面である、
請求項９記載の印刷システム。
【請求項１１】
１つまたは複数のページからなるドキュメントを印刷する印刷装置と、ホストと、を有する印刷システムであって、
前記ホストには、
前記ドキュメントに特定の処理を施す特定処理手段、
が設けられ、
前記印刷装置には、
前記ドキュメントに前記特定の処理を施した際の状態を表わすプレビュー画像と前記特定の処理を施していない前記各ページを表すオリジナル画像とを配置した画面を表示する表示手段と、
前記特定の処理が施された前記ドキュメントを印刷する印刷手段と、
が設けられている、
ことを特徴とする印刷システム。
【請求項１２】
１つまたは複数のページからなるドキュメントの表示に関する表示方法であって、
前記ドキュメントに特定の処理を施した際の状態を表わすプレビュー画像と前記特定の処理を施していない前記各ページを表すオリジナル画像とを配置した画面をディスプレイに表示させる、
ことを特徴とする表示方法。
【請求項１３】
１つまたは複数のページからなるドキュメントの表示に関する処理を行うコンピュータに用いられるコンピュータプログラムであって、
前記ドキュメントに特定の処理を施した際の状態を表わすプレビュー画像と前記特定の処理を施していない前記各ページを表すオリジナル画像とを配置した画面をディスプレイに表示する処理を前記コンピュータに実行させる、
ことを特徴とするコンピュータプログラム。
【発明の詳細な説明】
【技術分野】
【０００１】
本発明は、ドキュメントの印刷物をプレビューする装置および方法などに関する。
【背景技術】
【０００２】
近年、ドキュメントを印刷した印刷物の仕上がりの状態を表す画像を表示する技術が普及している。このような表示は、一般に「プレビュー」と呼ばれている。
【０００３】
ユーザは、ドキュメントを用紙に印刷する前にプレビューを行うことによって、印刷物の不具合を予め知ることができる。これにより、用紙の無駄遣いを減らすことができる。
【０００４】
プレビューに関する技術を採用した画像形成装置として、次のような画像形成装置が提案されている。原稿台に載置された原稿を撮影するための撮影部と、前記撮影部で撮影した撮影画像にユーザにより設定された印刷条件を適用した印刷画像を生成するための印刷画像生成部と、前記撮影画像と前記印刷画像とを表示するための表示部と、を備えている画像形成装置（特許文献１）。
【先行技術文献】
【特許文献】
【０００５】
【特許文献１】特開２００８−１０７６５１号公報
【発明の概要】
【発明が解決しようとする課題】
【０００６】
このように、従来の技術は、画像を印刷した印刷物の状態をシミュレーションしプレビューする。
【０００７】
しかし、このようなプレビューだけでは、ドキュメントの出力の不具合の原因を特定できないことがあった。
【０００８】
本発明は、このような問題点に鑑み、ドキュメントの出力の不具合をユーザが従来よりも容易に見つけることができるようにすることを、目的とする。
【課題を解決するための手段】
【０００９】
本発明の一形態に係る表示制御装置は、１つまたは複数のページからなるドキュメントの表示に関する制御を行う表示制御装置であって、前記ドキュメントに特定の処理を施した際の状態を表わすプレビュー画像をディスプレイに表示させる、プレビュー画像表示制御手段と、前記特定の処理を施していない前記各ページを表すオリジナル画像を、前記プレビュー画像とともに前記ディスプレイに表示させるオリジナル画像表示制御手段と、を有する。
【００１０】
好ましくは、前記特定の処理とは、印刷装置によって用紙に印刷するために前記ドキュメントを加工する処理である。または、前記特定の処理とは、用紙への前記各ページの割付けの処理である。
【００１１】
または、前記ドキュメントに前記特定の処理を実行する特定処理手段、を有し、前記プレビュー画像表示制御手段は、前記特定処理手段によって前記特定の処理が施された際の状態を表す画像を前記プレビュー画像として表示させる。
【００１２】
または、前記オリジナル画像は、前記プレビュー画像よりも小さい。または、前記プレビュー画像は、前記ドキュメントの印刷物に施された仕上げ処理の状態をも表す。
【００１３】
または、前記プレビュー画像表示制御手段は、選択された前記オリジナル画像が表す前記ページに係る前記プレビュー画像を表示させる。または、前記オリジナル画像表示制御手段は、選択された前記プレビュー画像が表す前記ページの前記オリジナル画像を表示させる。
【発明の効果】
【００１４】
本発明によると、ユーザは、ドキュメントの出力の不具合を従来よりも容易に見つけることができる。
【図面の簡単な説明】
【００１５】
【図１】ネットワークシステムの全体的な構成の例を示す図である。
【図２】画像形成装置のハードウェア構成の例を示す図である。
【図３】パーソナルコンピュータのハードウェア構成の例を示す図である。
【図４】パーソナルコンピュータの機能的構成の例を示す図である。
【図５】印刷プレビューウィンドウの例を示す図である。
【図６】２ｉｎ１印刷の際のプレビュー画像の例を示す図である。
【図７】印刷プレビューウィンドウの例を示す図である。
【図８】印刷プレビューウィンドウを表示する際の処理の流れの例を説明するフローチャートである。
【図９】印刷プレビューウィンドウの例を示す図である。
【図１０】印刷プレビューウィンドウの例を示す図である。
【図１１】印刷プレビューウィンドウの例を示す図である。
【図１２】印刷プレビューウィンドウの例を示す図である。
【図１３】タッチパネルディスプレイに表示される印刷プレビューウィンドウの例を示す図である。
【図１４】印刷プレビューウィンドウに相当する領域を有するドライバ画面の例を示す図である。
【発明を実施するための形態】
【００１６】
図１は、ネットワークシステム１００の全体的な構成の例を示す図である。図２は、画像形成装置１のハードウェア構成の例を示す図である。図３は、パーソナルコンピュータ２のハードウェア構成の例を示す図である。図４は、パーソナルコンピュータ２の機能的構成の例を示す図である。
【００１７】
図１に示すように、ネットワークシステム１００は、１台または複数台の画像形成装置１および１台または複数台のパーソナルコンピュータ２などによって構成される。
【００１８】
画像形成装置１は、一般に複合機またはＭＦＰ（Multi Function Peripherals）などと呼ばれる装置であって、コピー、ネットワークプリンティング（ＰＣプリント）、ファックス、およびスキャナなどの機能を集約した装置である。
【００１９】
画像形成装置１は、ＬＡＮ（Local Area Network）、公衆回線、またはインターネットなどの通信回線を介してパーソナルコンピュータ２などの装置と画像データのやり取りを行うことができる。
【００２０】
画像形成装置１は、図２に示すように、ＣＰＵ（Central Processing Unit）１０ａ、ＲＡＭ（Random Access Memory）１０ｂ、ＲＯＭ（Read Only Memory）１０ｃ、大容量記憶装置１０ｄ、スキャナ１０ｅ、印刷装置１０ｆ、ネットワークインタフェース１０ｇ、タッチパネルディスプレイ１０ｈ、モデム１０ｉ、およびフィニッシャ１０ｊのほか制御用の回路などによって構成される。
【００２１】
ネットワークインタフェース１０ｇは、通信回線を介してパーソナルコンピュータなどの他の装置と通信を行うためのＮＩＣ（Network Interface Card）である。
【００２２】
タッチパネルディスプレイ１０ｈは、ユーザに対してメッセージまたは指示を与えるための画面、ユーザが処理の指令および条件を入力するための画面、およびＣＰＵ１０ａの処理の結果を示す画面などを表示する。また、ユーザが指で触れた位置を検知し、検知結果を示す信号をＣＰＵ１０ａに送信する。
【００２３】
スキャナ１０ｅは、用紙に記されている写真、文字、絵、図表などの画像を読み取って画像データを生成する装置である。
【００２４】
モデム１０ｉは、固定電話網を介して他のファックス端末との間でＧ３などのプロトコルで画像データをやり取りするための装置である。
【００２５】
印刷装置１０ｆは、スキャナ１０ｅによって読み取られた画像のほか、パーソナルコンピュータ２またはファックス端末などから受信した画像データに示される画像を印刷する。
【００２６】
フィニッシャ１０ｊは、印刷装置１０ｆによって画像が印刷された印刷物に対して仕上げの処理を行う。本実施形態では、ステープルで印刷物を綴じる処理または印刷物にパンチ穴を開ける処理を行う。
【００２７】
ＲＯＭ１０ｃまたは大容量記憶装置１０ｄには、オペレーティングシステムおよびミドルウェアなどのソフトウェアがインストールされている。ソフトウェアを構成するモジュールは、必要に応じてＲＡＭ１０ｂにロードされ、ＣＰＵ１０ａによって実行される。大容量記憶装置１０ｄとして、ＨＤＤ（Hard Disk Drive）またはＳＳＤ（Solid State Drive）などが用いられる。
【００２８】
パーソナルコンピュータ２は、図３に示すように、ＣＰＵ２０ａ、ＲＡＭ２０ｂ、ＲＯＭ２０ｃ、大容量記憶装置２０ｄ、キーボード２０ｅ、ポインティングデバイス２０ｆ、液晶ディスプレイ２０ｇ、およびネットワークインタフェース２０ｈなどによって構成される。
【００２９】
キーボード２０ｅおよびポインティングデバイス２０ｆは、ユーザが指令およびデータをパーソナルコンピュータ２に対して入力するための装置である。ポインティングデバイス２０ｆとして、マウスまたはトラックパッドなどが用いられる。
【００３０】
液晶ディスプレイ２０ｇには、画像形成装置１のタッチパネルディスプレイ１０ｈと同様、種々の画面が表示される。本実施形態では、特に、印刷プレビューウィンドウ５（図５参照）が画面の１つとして表示される。
【００３１】
ＲＯＭ２０ｃまたは大容量記憶装置２０ｄには、図４に示すように、ワープロソフト、表計算ソフト、または描画ソフトなどのアプリケーション２ＡＰのほか、プリンタドライバ２ＤＲがインストールされている。アプリケーション２ＡＰおよびプリンタドライバ２ＤＲは、必要に応じてＲＡＭ２０ｂにロードされ、ＣＰＵ２０ａによって実行される。大容量記憶装置２０ｄとして、ＨＤＤまたはＳＤＤなどが用いられる。
【００３２】
プリンタドライバ２ＤＲには、図４に示すドキュメントデータ入力部２０１、加工前画像生成部２０２、ドキュメントデータ加工部２０３、加工後画像生成部２０４、画像記憶部２０５、印刷プレビュー表示部２０６、および印刷実行部２０７などを実現するためのモジュールが含まれている。
【００３３】
さらに、印刷プレビュー表示部２０６は、印刷設定部２１１、ウィンドウ表示部２１２、プレビュー画像表示部２１３、およびサムネイル画像表示部２１４などによって構成される。
【００３４】
プリンタドライバ２ＤＲは、画像形成装置１を制御するためのプログラムであって、特に、画像形成装置１で印刷を行うための印刷データを生成したり、この印刷データおよびコマンドなどを画像形成装置１へ送信したりするためのプログラムである。さらに、プリンタドライバ２ＤＲによると、ユーザは、画像形成装置１によって用紙に印刷される画像の仕上がりの状態を、画面で確認することができる。仕上がりの状態を表示することは、一般に、「プレビュー」と呼ばれる。また、仕上がりの状態を示す画面は、一般に「プレビュー画面」と呼ばれる。
【００３５】
図５は、印刷プレビューウィンドウ５の例を示す図である。図６は、２ｉｎ１印刷の際のプレビュー画像６Ａの例を示す図である。図７は、印刷プレビューウィンドウ５の例を示す図である。
【００３６】
次に、図４に示すパーソナルコンピュータ２のプリンタドライバ２ＤＲの各部を順次説明する。
【００３７】
ユーザは、印刷対象のドキュメントのデータをパーソナルコンピュータ２に用意しておく。ユーザは、このデータを、アプリケーション２ＡＰで書類を作成することによって用意すればよい。または、ユーザは、インターネット上のＷＥＢサーバからダウンロードすることによって、データを用意してもよい。
【００３８】
そして、ユーザは、印刷のコマンドをパーソナルコンピュータ２に入力する。すると、プリンタドライバ２ＤＲが起動する。以下、複数のページからなるドキュメント６が印刷の対象である場合を例に、説明する。
【００３９】
ウィンドウ表示部２１２は、印刷プレビューウィンドウ５を液晶ディスプレイ２０ｇに表示させる。
【００４０】
印刷プレビューウィンドウ５には、図５に示すように、プレビュー画像領域５１およびサムネイル画像領域５２が設けられている。さらに、印刷プレビューウィンドウ５には、ページ移動操作バー５Ａ、印刷設定ボタン５Ｂ、および印刷コマンドボタン５Ｃが配置されている。
【００４１】
印刷設定部２１１は、ドキュメント６の印刷に関する設定の内容を示す設定データを、例えば次のように生成する。
【００４２】
ユーザが印刷設定ボタン５Ｂをクリックすると、印刷設定部２１１は、印刷設定ダイアログを液晶ディスプレイ２０ｇに表示させる。
【００４３】
ここで、ユーザは、ドキュメント６またはその印刷物の加工または編集に関する設定の内容を入力する。例えば、ステープル仕上げの要否およびパンチ穴仕上げの要否、つまり、フィニッシャ１０ｊによる印刷物の各仕上げの要否を入力する。また、片面印刷、両面印刷、Ｎｉｎ１印刷（Ｎ−ｕｐ印刷）、または小冊子印刷など、ドキュメントの各ページの、用紙の面への配置について入力する。また、隣り合う２つページの間に挿入するページについて入力する。そのほか、カラー印刷かモノクロ印刷かなどを入力する。
【００４４】
そして、印刷設定部２１１は、ユーザが入力した内容を受け付け、その内容を示す設定データ４１を生成する。
【００４５】
ドキュメントデータ入力部２０１は、アプリケーション２ＡＰからドキュメント６のデータを取得する。以下、このデータを「ドキュメントデータ４ＤＣ」と記載する。
【００４６】
加工前画像生成部２０２は、設定データ４１に示される内容を適用せずに、つまり、ユーザが指定した加工および編集を行わずに、ドキュメントデータ４ＤＣから、ラスタライズ処理などを行うことによって、ドキュメント６のページごとのビットマップの画像データを生成する。以下、この画像データを「加工前画像データ４ＢＦ」と記載する。上述の通り、ドキュメント６は複数のページからなる。よって、加工前画像生成部２０２によって複数の加工前画像データ４ＢＦが生成される。
【００４７】
ドキュメントデータ加工部２０３は、設定データ４１に示される内容を適用してドキュメント６が印刷され仕上げの処理が行われるように、特定のコマンドを挿入しまたはパラメータの値を変更するなどしてドキュメントデータ４ＤＣを加工する。以下、加工後のドキュメントデータ４ＤＣを「加工ドキュメントデータ４ＤＫ」を記載する。
【００４８】
加工後画像生成部２０４は、加工ドキュメントデータ４ＤＫから、ラスタライズ処理などを行うことによって、ドキュメント６の印刷物の用紙ごとの仕上がりの状態を表す画像の画像データを生成する。以下、この画像を「プレビュー画像６Ａ」と記載し、この画像データを「加工後画像データ４ＡＦ」と記載する。
【００４９】
なお、用紙の両面に印刷を行う場合は、加工後画像生成部２０４は、それぞれの面のプレビュー画像６Ａの加工後画像データ４ＡＦを生成する。以下、画像が印刷される面を「印刷面」と記載する。片面のみに印刷を行う場合は、表（おもて）面のみが印刷面であり、両面に印刷を行う場合は、裏面も印刷面である。
【００５０】
上述の通り、加工ドキュメントデータ４ＤＫには、設定データ４１に示される内容が適用されている。したがって、１枚の用紙に複数のページを割り付ける設定がなされている場合は、１つのプレビュー画像６Ａに複数のページの画像が含まれる。
【００５１】
また、加工後画像生成部２０４は、仕上げの設定の内容に合わせて、ステープルの画像またはパンチ穴の画像をプレビュー画像６Ａに追加する。
【００５２】
例えば、２ｉｎ１印刷およびステープル綴じが設定されている場合は、加工後画像生成部２０４は、図６に示すようなプレビュー画像６Ａの加工後画像データ４ＡＦを生成する。
【００５３】
そのほか、隣り合う２つページの間への空白（白紙）のページなどの挿入が設定されている場合は、加工後画像生成部２０４は、両ページの間に空白のページなどが挿入された状態のプレビュー画像６Ａを生成する。
【００５４】
画像記憶部２０５は、生成された加工前画像データ４ＢＦおよび加工後画像データ４ＡＦを記憶する。
【００５５】
プレビュー画像表示部２１３は、画像記憶部２０５に記憶されている加工後画像データ４ＡＦに基づいて、印刷物の各用紙の各印刷面のプレビュー画像６Ａをプレビュー画像領域５１に表示させる。
【００５６】
プレビュー画像表示部２１３は、印刷プレビューウィンドウ５が表示された当初は、デフォルトの順番の印刷面（例えば、１枚目の用紙の表（おもて）面）のプレビュー画像６Ａを表示させる。そして、ユーザがページ移動操作バー５Ａを操作すると、その操作の内容に応じて、別の印刷面のプレビュー画像６Ａを表示させる。
【００５７】
なお、プレビュー画像領域５１のスペースに余裕がある場合は、複数の印刷面のプレビュー画像６Ａを並べて表示させてもよい。
【００５８】
サムネイル画像表示部２１４は、画像記憶部２０５に記憶されている加工前画像データ４ＢＦに基づいて、ドキュメント６の各ページの、加工および編集が行われていない画像を、アイコンまたは親指くらいの大きさに縮小してサムネイル画像領域５２に表示させる。以下、この画像を「サムネイル画像６Ｂ」と記載する。
【００５９】
サムネイル画像表示部２１４は、印刷プレビューウィンドウ５が表示された当初は、１ページ目から順に並べられるだけ、各ページのサムネイル画像６Ｂを表示させる。そして、ユーザがサムネイル画像領域５２の下部にあるスクロールバーを操作すると、その操作内容に応じて、残りのページのサムネイル画像６Ｂを表示させる。
【００６０】
印刷実行部２０７は、印刷コマンドボタン５Ｃがクリックされると、ドキュメント６を印刷するための印刷データ４ＰＴをドキュメントデータ４ＤＣから生成する。そして、印刷データ４ＰＴを、印刷の指令とともに、ユーザが指定した画像形成装置１へ送信する。なお、印刷データ４ＰＴの生成の際に、設定データ４１に示される設定の内容を反映する。または、設定データ４１を、印刷データ４ＰＴとともに画像形成装置１へ送信してもよい。
【００６１】
すると、画像形成装置１は、設定データ４１に示される通りにドキュメント６を用紙に印刷する。
【００６２】
図８は、印刷プレビューウィンドウ５を表示する際の処理の流れの例を説明するフローチャートである。
【００６３】
次に、プリンタドライバ２ＤＲによるプレビューに関する全体的な処理の流れを、図８に示すフローチャートなどを参照しながら説明する。
【００６４】
パーソナルコンピュータ２は、プリンタドライバ２ＤＲの起動後、印刷プレビューウィンドウ５（図５参照）を表示するとともに、ドキュメントデータ４ＤＣおよび設定データ４１を取得する（図８の＃１１）。ドキュメント６の１ページ目の加工および編集を行う前のデータつまり加工前画像データ４ＢＦを生成し保存する（＃１３）。
【００６５】
そして、サムネイル画像領域５２に所定以上のサイズのスペースが空いていれば（＃１４でＹｅｓ）、パーソナルコンピュータ２は、１ページ目のサムネイル画像６Ｂをサムネイル画像領域５２に表示する（＃１５）。
【００６６】
ステップ＃１３〜＃１５の処理と前後してまたは並行して、パーソナルコンピュータ２は、１ページ目の加工および編集を行った後の画像データを生成する（＃１６）。
【００６７】
１ページ目が配置される印刷面に配置される全ページ分の画像データが揃ったら（＃１７でＹｅｓ）、この印刷面のプレビュー画像６Ａのデータつまり加工後画像データ４ＡＦを生成し保存する（＃１８）。
【００６８】
１つの印刷面に１つのページを配置する設定がなされている場合は、ステップ＃１７において、常に「Ｙｅｓ」である。一方、１つの印刷面に複数のページを配置する設定がなされている場合は、ステップ＃１７において、「Ｙｅｓ」の場合と「Ｎｏ」の場合とがある。
【００６９】
そして、プレビュー画像領域５１に所定以上のサイズのスペースが空いていれば（＃１９でＹｅｓ）、パーソナルコンピュータ２は、ステップ＃１８で生成したプレビュー画像６Ａをプレビュー画像領域５１に表示する（＃２０）。
【００７０】
パーソナルコンピュータ２は、２ページ目以降についても同様に、ステップ＃１３〜＃２０の処理を実行する。
【００７１】
なお、サムネイル画像６Ｂは、生成された順に、サムネイル画像領域５２の左側から配置される。プレビュー画像６Ａも同様に、生成された順に、プレビュー画像領域５１の左側から配置される。
【００７２】
ところで、ステップ＃１３〜＃２２の処理によると、１つの印刷面にＭ個（ただし、Ｍ≧２）のページを配置する設定がなされている場合に、原則として、ドキュメント６のページの総数（ページ数）がＭの倍数であれば、すべてのページの画像がいずれかのプレビュー画像６Ａに含まれる。
【００７３】
しかし、ドキュメント６のページ数がＭの倍数でなれれば、後ろから１ないし（Ｍ−１）ページの画像がいずれのプレビュー画像６Ａにも含まれないことがある。つまり、これらの画像が残ってしまうことがある。
【００７４】
そこで、パーソナルコンピュータ２は、後ろから１ないし（Ｍ−１）ページの画像が残っている場合は（＃２３でＹｅｓ）、これらの画像を設定通りに配置したプレビュー画像６Ａの加工後画像データ４ＡＦを生成し保存する（＃２４）。さらに、スペースがプレビュー画像領域５１に空いていれば（＃２５でＹｅｓ）、このプレビュー画像６Ａを表示する（＃２６）。
【００７５】
図９ないし図１２は、印刷プレビューウィンドウ５の例を示す図である。ここで、ドキュメント６および設定等のバリエーションを幾つか挙げながら、プレビューの具体例を説明する。
【００７６】
ドキュメント６のページ数が１６でありかつ４ｉｎ１印刷および小冊子印刷が設定されている場合は、パーソナルコンピュータ２は、印刷物を半分に折り曲げて面を２つに分割したときの１つの分割面にドキュメント６の４つのページがページ順に配置されるように、つまり、図９のように、プレビュー画像６Ａおよびサムネイル画像６Ｂを表示する。なお、図９の例では、ページを左上、右上、左下、および右下の順に配置しているが、左上、左下、右上、および右下の順に配置してもよい。どちらの配置にするかは、ユーザが決めればよい。
【００７７】
ところで、ユーザは、プリンタドライバ２ＤＲに対してではなく、アプリケーション２ＡＰに対してＮｉｎ１印刷の設定を行うことができる場合が、ある。このような場合は、アプリケーション２ＡＰは、Ｎ個のページそれぞれの画像を縮小し１つのページに纏めることによって、ドキュメントデータ４ＤＣを生成する。
【００７８】
ユーザは、このような設定がアプリケーション２ＡＰになされていることを知らずに印刷を行わせることがある。以前に行ったＮｉｎ１印刷の設定が反映されたままである場合に、このようなことがよく起こる。例えば、ドキュメント６の元々のページ数が８であり、アプリケーション２ＡＰに対して誤って２ｉｎ１印刷の設定がなされたとする。そして、プリンタドライバ２ＤＲに対して２ｉｎ１印刷および小冊子印刷の設定がなされたとする。
【００７９】
すると、パーソナルコンピュータ２は、図１０のように、プレビュー画像６Ａおよびサムネイル画像６Ｂを表示する。アプリケーション２ＡＰにおいて２ｉｎ１印刷の設定がなされているので、１つのサムネイル画像６Ｂには、ドキュメント６の元々のページが１つではなく２つ、示されている。また、同様の理由で、１つのプレビュー画像６Ａの右半分および左半分のそれぞれには、ユーザがプリンタドライバ２ＤＲに対して２ｉｎ１印刷および小冊子印刷を設定したにも関わらず、ドキュメント６の元々のページが２つではなく４つ、示されている。
【００８０】
ユーザは、プレビュー画像６Ａおよびサムネイル画像６Ｂを見ることによって、設定の誤りに気付くことができる。また、プリンタドライバ２ＤＲに対して２ｉｎ１印刷ではなく４ｉｎ１印刷を誤って設定したのか、アプリケーション２ＡＰに対して２ｉｎ１印刷を誤って設定したのかを、容易に特定することができる。前者の通り設定した場合は、図９のようにプレビュー画像６Ａおよびサムネイル画像６Ｂが表示され、後者の通り設定した場合は、図１０のようにプレビュー画像６Ａおよびサムネイル画像６Ｂが表示されるからである。
【００８１】
そして、ユーザは、アプリケーション２ＡＰまたはプリンタドライバ２ＤＲに対する設定をやり直し、所望する印刷物を得ることができる。
【００８２】
または、ドキュメント６のページ数が５であり、かつ、２ページ目と３ページ目との間に空白（白紙）のページを挿入する設定が誤ってなされている場合は、パーソナルコンピュータ２は、図１１のように、プレビュー画像６Ａおよびサムネイル画像６Ｂを表示する。
【００８３】
また、ユーザが５つのページのドキュメント６を作成したが、その後、誤って２ページ目と３ページ目との間に空白のページが挿入されてしまうことが、ある。そして、この誤りが直されることなく、印刷のコマンドが入力されたとする。このような場合は、パーソナルコンピュータ２は、図１２のように、プレビュー画像６Ａおよびサムネイル画像６Ｂを表示する。
【００８４】
ユーザは、加えたつもりのないページを、図１１または図１２のようなプレビュー画像６Ａによって気付くことができる。
【００８５】
さらに、誤りの原因をサムネイル画像６Ｂによって次のように容易に特定することができる。図１１のように、どのサムネイル画像６Ｂも、空白のページを表わしていない場合は、プリンタドライバ２ＤＲに対する設定に誤りがあることが、分かる。一方、図１２のように、３番目のサムネイル画像６Ｂが空白のページを表わしている場合は、空白のページを挿入する操作が誤ってアプリケーション２ＡＰに対してなされたことが、分かる。
【００８６】
本実施形態によると、ユーザは、ドキュメントの出力の不具合を従来よりも容易に見つけることができる。
【００８７】
図１３は、タッチパネルディスプレイ１０ｈに表示される印刷プレビューウィンドウ５の例を示す図である。図１４は、印刷プレビューウィンドウ５に相当する領域を有するドライバ画面５Ｘの例を示す図である。
【００８８】
本実施形態では、印刷プレビューウィンドウ５の表示つまりプレビューをパーソナルコンピュータ２が行ったが、画像形成装置１が行ってもよい。この場合は、図４に示す各部を実現するモジュールを画像形成装置１に設ければよい。そして、図１３のように、タッチパネルディスプレイ１０ｈに印刷プレビューウィンドウ５を表示すればよい。
【００８９】
または、ドキュメントデータ入力部２０１ないし加工後画像生成部２０４をパーソナルコンピュータ２に設け、画像記憶部２０５および印刷プレビュー表示部２０６に相当する機能を画像形成装置１に設けてもよい。つまり、プレビュー画像６Ａおよびサムネイル画像６Ｂのデータの生成をパーソナルコンピュータ２で行い、これらのデータを画像形成装置１へ転送し、プレビュー画像６Ａおよびサムネイル画像６Ｂの表示を画像形成装置１で行ってもよい。
【００９０】
プレビュー画像表示部２１３は、いずれかのサムネイル画像６Ｂがクリックされるなどして選択された場合に、このサムネイル画像６Ｂのページに対応するプレビュー画像６Ａがプレビュー画像領域５１に表示されていなけば、このプレビュー画像６Ａを表示させてもよい。つまり、サムネイル画像６Ｂを、プレビュー画像６Ａを呼び出すためのアイコンとして用いてもよい。
【００９１】
同様に、サムネイル画像表示部２１４は、いずれかのプレビュー画像６Ａがクリックされるなどして選択された場合に、このプレビュー画像６Ａのページに対応するサムネイル画像６Ｂがサムネイル画像領域５２に表示されていなければ、このサムネイル画像６Ｂを表示させてもよい。
【００９２】
本実施形態では、ドキュメント６を印刷物として出力する場合を例に説明したが、ドキュメント６の、ＰＤＦ（Portable Document Format）またはＸＰＳ（XML Paper Specification）などの、いわゆるレイアウトドキュメントのフォーマットの電子ファイルを生成する場合にも、本発明を適用することができる。
【００９３】
または、図１４に示すように、画像形成装置１のドライバの画面であるドライバ画面５Ｘに印刷プレビューウィンドウ５を組み込んでもよい。
【００９４】
その他、画像形成装置１およびパーソナルコンピュータ２の全体または各部の構成、処理内容、処理順序、データの構成、印刷プレビューウィンドウ５の構成などは、本発明の趣旨に沿って適宜変更することができる。
【符号の説明】
【００９５】
１００  ネットワークシステム（印刷システム）
１  画像形成装置
１０ｈ  タッチパネルディスプレイ
２  パーソナルコンピュータ
２０３  ドキュメントデータ加工部（特定処理手段）
２１３  プレビュー画像表示部（プレビュー画像表示制御手段）
２１４  サムネイル画像表示部（オリジナル画像表示制御手段）
２０ｇ  液晶ディスプレイ
５  印刷プレビューウィンドウ
６Ａ  プレビュー画像
６Ｂ  サムネイル画像（オリジナル画像）
【図１】
2012123557.tif 000003
【図２】
2012123557.tif 000004
【図３】
2012123557.tif 000005
【図４】
2012123557.tif 000006
【図５】
2012123557.tif 000007
【図６】
2012123557.tif 000008
【図７】
2012123557.tif 000009
【図８】
2012123557.tif 000010
【図９】
2012123557.tif 000011
【図１０】
2012123557.tif 000012
【図１１】
2012123557.tif 000013
【図１２】
2012123557.tif 000014
【図１３】
2012123557.tif 000015
【図１４】
2012123557.tif 000016